(57)【要約】  表示システム１において、第２表示装置２２ｂは、第１表示装置２２ａに隣接して配置される。第１表示装置２２ａは、第２表示装置２２ｂに隣接する第１タッチ検出領域を含む。第２表示装置２２ｂは、第２タッチ検出領域を含む。第１表示装置２２ａにおける第１フレーム期間は、第１表示装置２２ａが画像を表示する第１表示期間と、第１タッチ検出回路７６ａが第１タッチ検出領域でタッチを検出する第１タッチ検出期間とを含む。第２表示装置２２ｂにおける第２フレーム期間は、第２表示装置２２ｂが画像を表示する第２表示期間と、第２タッチ検出回路７６ｂが第２タッチ検出領域でタッチを検出する第２タッチ検出期間とを含む。第１タッチ検出期間の開始および終了タイミングは、第２表示期間に重複する。
2020162167.tif 000002
【特許請求の範囲】
【請求項１】
第１表示装置と、
前記第１表示装置に隣接して配置される第２表示装置と、
前記第１表示装置への物体のタッチを検出する第１タッチ検出回路と、
前記第２表示装置への物体のタッチを検出する第２タッチ検出回路と、
前記第１表示装置、前記第２表示装置、前記第１タッチ検出回路および前記第２タッチ検出回路を制御する制御回路と、
を備え、
前記第１表示装置は、前記第２表示装置に隣接する第１タッチ検出領域を含み、
前記第２表示装置は、第２タッチ検出領域を含み、
前記第１表示装置における第１フレーム期間は、前記第１表示装置が画像を表示する第１表示期間と、前記第１タッチ検出回路が前記第１タッチ検出領域でタッチを検出する第１タッチ検出期間とを含み、
前記第２表示装置における第２フレーム期間は、前記第２表示装置が画像を表示する第２表示期間と、前記第２タッチ検出回路が前記第２タッチ検出領域でタッチを検出する第２タッチ検出期間とを含み、
前記第１タッチ検出期間の開始および終了タイミングは、前記第２表示期間に重複する、ことを特徴とする表示システム。
【請求項２】
前記第２タッチ検出領域は、前記第１表示装置に隣接し、
前記第２タッチ検出期間の開始および終了タイミングは、前記第１表示期間に重複する、ことを特徴とする請求項１に記載の表示システム。
【請求項３】
前記第１表示装置は、複数の第１タッチ検出領域を含み、当該複数の第１タッチ検出領域の少なくとも１つは前記第２表示装置に隣接し、
前記第２表示装置は、複数の第２タッチ検出領域を含み、当該複数の第２タッチ検出領域の少なくとも１つは前記第１表示装置に隣接し、
前記第１フレーム期間は、複数の第１表示期間と、複数の第１タッチ検出期間とを含み、第１表示期間と第１タッチ検出期間は交互に配置され、
前記第１タッチ検出回路は、第１タッチ検出期間毎に異なる第１タッチ検出領域でタッチを検出し、
前記第２フレーム期間は、複数の第２表示期間と、複数の第２タッチ検出期間とを含み、第２表示期間と第２タッチ検出期間は交互に配置され、
前記第２タッチ検出回路は、第２タッチ検出期間毎に異なる第２タッチ検出領域でタッチを検出し、
前記複数の第１タッチ検出期間のそれぞれの開始および終了タイミングは、前記複数の第２表示期間のいずれかに重複し、
前記複数の第２タッチ検出期間のそれぞれの開始および終了タイミングは、前記複数の第１表示期間のいずれかに重複する、ことを特徴とする請求項２に記載の表示システム。
【請求項４】
前記第１フレーム期間の開始タイミングは、前記第２フレーム期間の開始タイミングと異なる、ことを特徴とする請求項３に記載の表示システム。
【請求項５】
前記第１フレーム期間の開始タイミングは、前記第２フレーム期間の開始タイミングと一致し、
前記複数の第１表示期間は、それぞれ同じ長さであり、
前記複数の第２表示期間の１つは、第１表示期間より長く、
前記複数の第２表示期間の１つは、第１表示期間より短く、
前記複数の第２表示期間の残りは、第１表示期間と同じ長さである、ことを特徴とする請求項３に記載の表示システム。
【請求項６】
前記第１フレーム期間の開始タイミングは、前記第２フレーム期間の開始タイミングと一致し、
前記第１表示装置は、複数の第１タッチ検出領域を含み、当該複数の第１タッチ検出領域の１つは前記第２表示装置に隣接し、
前記第２表示装置は、複数の第２タッチ検出領域を含み、当該複数の第２タッチ検出領域の１つは前記第１表示装置に隣接し、
前記第１フレーム期間は、複数の第１表示期間と、複数の第１タッチ検出期間とを含み、第１表示期間と第１タッチ検出期間は交互に配置され、
前記第１タッチ検出回路は、第１タッチ検出期間毎に異なる第１タッチ検出領域でタッチを検出し、
前記第２フレーム期間は、複数の第２表示期間と、複数の第２タッチ検出期間とを含み、第２表示期間と第２タッチ検出期間は交互に配置され、
前記第２タッチ検出回路は、第２タッチ検出期間毎に異なる第２タッチ検出領域でタッチを検出し、
前記第２表示装置に隣接する第１タッチ検出領域でタッチ検出が行われる特定の第１タッチ検出期間の開始および終了タイミングは、第２表示期間に重複し、
前記第１表示装置に隣接する第２タッチ検出領域でタッチ検出が行われる特定の第２タッチ検出期間の開始および終了タイミングは、第１表示期間に重複し、
前記特定の第１タッチ検出期間以外の複数の第１タッチ検出期間の一部のそれぞれは、前記特定の第２タッチ検出期間以外の第２タッチ検出期間のいずれかに重複する、ことを特徴とする請求項２に記載の表示システム。
【請求項７】
前記複数の第１タッチ検出領域と前記複数の第２タッチ検出領域は、前記第１表示装置と前記第２表示装置の配置方向に沿った方向に並ぶ、ことを特徴とする請求項３から６のいずれかに記載の表示システム。
【請求項８】
前記複数の第１タッチ検出領域と前記複数の第２タッチ検出領域は、前記第１表示装置と前記第２表示装置の配置方向に交差した方向に並ぶ、ことを特徴とする請求項３から５のいずれかに記載の表示システム。
【請求項９】
前記第１表示装置は、前記複数の第１タッチ検出領域に複数ずつ配置された、画像表示およびタッチ検出に共用される複数の第１共通電極を含み、
前記第２表示装置は、前記複数の第２タッチ検出領域に複数ずつ配置された、画像表示およびタッチ検出に共用される複数の第２共通電極を含み、
前記表示システムは、
第１タッチ検出期間に、前記複数の第１共通電極に第１タッチ駆動信号を出力する第１駆動回路と、
第２タッチ検出期間に、前記複数の第２共通電極に第２タッチ駆動信号を出力する第２駆動回路と、
を備え、
前記第１タッチ検出回路は、検出対象の第１タッチ検出領域の第１共通電極から受信した第１タッチ検出信号にもとづいて、当該第１タッチ検出領域のタッチを検出し、
前記第２タッチ検出回路は、検出対象の第２タッチ検出領域の第２共通電極から受信した第２タッチ検出信号にもとづいて、当該第２タッチ検出領域のタッチを検出する、
ことを特徴とする請求項３から８のいずれかに記載の表示システム。
【請求項１０】
前記第１表示装置と前記第２表示装置は、水平方向に隣接して配置される、ことを特徴とする請求項１から９のいずれかに記載の表示システム。
【請求項１１】
前記第１表示装置と前記第２表示装置は、垂直方向に隣接して配置される、ことを特徴とする請求項１から９のいずれかに記載の表示システム。
【請求項１２】
第１表示装置と、
前記第１表示装置に隣接して配置される第２表示装置と、
前記第１表示装置への物体のタッチを検出する第１タッチ検出回路と、
前記第２表示装置への物体のタッチを検出する第２タッチ検出回路と、
を備える表示システムにおける制御方法であって、
前記第１表示装置は、前記第２表示装置に隣接する第１タッチ検出領域を含み、
前記第２表示装置は、第２タッチ検出領域を含み、
前記第１表示装置における第１フレーム期間は、前記第１表示装置が画像を表示する第１表示期間と、前記第１タッチ検出回路が前記第１タッチ検出領域でタッチを検出する第１タッチ検出期間とを含み、
前記第２表示装置における第２フレーム期間は、前記第２表示装置が画像を表示する第２表示期間と、前記第２タッチ検出回路が前記第２タッチ検出領域でタッチを検出する第２タッチ検出期間とを含み、
前記制御方法は、
前記第１タッチ検出期間の開始および終了タイミングが前記第２表示期間に重複するように、前記第１表示装置、前記第２表示装置、前記第１タッチ検出回路および前記第２タッチ検出回路を制御するステップを含む、ことを特徴とする制御方法。
【発明の詳細な説明】
【技術分野】
【０００１】
本開示は、タッチ検出機能を有する表示システムおよび制御方法に関する。
【背景技術】
【０００２】
近年、表示画面においてＧＵＩを表示し、ユーザの指などで表示画面を直接タッチすることで指示入力を行うタッチディスプレイを搭載した表示入力装置が普及している（例えば、特許文献１，２参照）。この種の表示入力装置は、表示装置に対してボタンやキーボードなど別途入力部を備える表示入力装置と比較して構成を簡素化できることから、携帯端末や設置スペースの限られる端末などで広く採用されている。
【先行技術文献】
【特許文献】
【０００３】
【特許文献１】特開２０１４−１３２４４５号公報
【特許文献２】特開２０１６−２００８８６号公報
【発明の概要】
【発明が解決しようとする課題】
【０００４】
タッチディスプレイを備える表示システムにおいて、更なる改善が必要とされる。【０００５】
本開示はこうした状況に鑑みてなされたものであり、その目的は、表示システムにおいて更なる改善を実現できる技術を提供することにある。
【課題を解決するための手段】
【０００６】
上記課題を解決するために、本開示のある態様の表示システムは、第１表示装置と、第１表示装置に隣接して配置される第２表示装置と、第１表示装置への物体のタッチを検出する第１タッチ検出回路と、第２表示装置への物体のタッチを検出する第２タッチ検出回路と、第１表示装置、第２表示装置、第１タッチ検出回路および第２タッチ検出回路を制御する制御回路と、を備える。第１表示装置は、第２表示装置に隣接する第１タッチ検出領域を含む。第２表示装置は、第２タッチ検出領域を含む。第１表示装置における第１フレーム期間は、第１表示装置が画像を表示する第１表示期間と、第１タッチ検出回路が第１タッチ検出領域でタッチを検出する第１タッチ検出期間とを含む。第２表示装置における第２フレーム期間は、第２表示装置が画像を表示する第２表示期間と、第２タッチ検出回路が第２タッチ検出領域でタッチを検出する第２タッチ検出期間とを含む。第１タッチ検出期間の開始および終了タイミングは、第２表示期間に重複する。【０００７】
本開示の別の態様は、制御方法である。この方法は、第１表示装置と、第１表示装置に隣接して配置される第２表示装置と、第１表示装置への物体のタッチを検出する第１タッチ検出回路と、第２表示装置への物体のタッチを検出する第２タッチ検出回路と、を備える表示システムにおける制御方法であって、第１表示装置は、第２表示装置に隣接する第１タッチ検出領域を含む。第２表示装置は、第２タッチ検出領域を含む。第１表示装置における第１フレーム期間は、第１表示装置が画像を表示する第１表示期間と、第１タッチ検出回路が第１タッチ検出領域でタッチを検出する第１タッチ検出期間とを含む。第２表示装置における第２フレーム期間は、第２表示装置が画像を表示する第２表示期間と、第２タッチ検出回路が第２タッチ検出領域でタッチを検出する第２タッチ検出期間とを含む。制御方法は、第１タッチ検出期間の開始および終了タイミングが第２表示期間に重複するように、第１表示装置、第２表示装置、第１タッチ検出回路および第２タッチ検出回路を制御するステップを含む。
【発明の効果】
【０００８】
上記の態様により、表示システムにおいて更なる改善を実現できる。
【図面の簡単な説明】
【０００９】
【図１】第１の実施の形態に係る表示システムのブロック図である。
【図２】図１の表示装置の回路構成を概略的に示す図である。
【図３】図２の共通電極の配置を示す上面図である。
【図４】第１表示装置における第１フレーム期間と、第２表示装置における第２フレーム期間のタイミングを示す図である。
【図５】図５（ａ）は、図４の第１タッチ検出期間における表示装置の動作を説明する図であり、図５（ｂ）は、図４の第２タッチ検出期間における表示装置の動作を説明する図である。
【図６】比較例の表示システムの第１フレーム期間と第２フレーム期間のタイミングを示す図である。
【図７】図７（ａ）は、図６の第１タッチ検出期間における表示装置の動作を説明する図であり、図７（ｂ）は、図６の第２タッチ検出期間における表示装置の動作を説明する図である。
【図８】図１の表示システムの起動処理を示すフローチャートである。
【図９】第２の実施の形態に係る第１フレーム期間と第２フレーム期間のタイミングを示す図である。
【図１０】第３の実施の形態に係る第１フレーム期間と第２フレーム期間のタイミングを示す図である。
【図１１】第４の実施の形態に係る第１フレーム期間と第２フレーム期間のタイミングを示す図である。
【図１２】第５の実施の形態に係る表示装置の動作を説明する図である。
【図１３】第６の実施の形態に係る表示装置の動作を説明する図である。
【図１４】第７の実施の形態に係る表示装置の動作を説明する図である。
【図１５】第８の実施の形態に係る表示システムのブロック図である。
【図１６】図１５の表示システムの起動処理を示すフローチャートである。
【図１７】図１の表示装置の縦断面図である。
【発明を実施するための形態】
【００１０】
（本開示の基礎となった知見）
実施の形態を具体的に説明する前に、基礎となった知見を説明する。タッチディスプレイでは、動作安定性の観点からノイズの影響を低減することが望まれている。タッチディスプレイにおいて外部機器の動作などに由来する外来ノイズの影響を低減する技術として、たとえば既述の特許文献１と２の技術が知られている。
【００１１】
ところで、２台のタッチディスプレイを並べて配置する場合がある。この配置では、各タッチディスプレイのタッチ駆動信号に由来するノイズが互いに干渉しあうことでタッチ検出に影響を与えるという課題を本発明者は発見した。この課題を解決するために、本開示に係る表示システムは以下のように構成される。
【００１２】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。
【００１３】
（第１の実施の形態）
図１は、第１の実施の形態に係る表示システム１のブロック図である。表示システム１は、自動車などの車両に搭載された車載の表示システム１である一例について説明するが、用途は特に限定されず、携帯機器などに用いてもよい。
【００１４】
表示システム１は、ホスト１０と、第１表示モジュール２０ａと、第２表示モジュール２０ｂとを備える。以下、第１表示モジュール２０ａと第２表示モジュール２０ｂを区別しない場合には表示モジュール２０と呼ぶ。表示モジュール２０は、表示パネルとも呼ばれる。
【００１５】
ホスト１０は、ラジオ、カーナビゲーション、Ｂｌｕｅｔｏｏｔｈ（登録商標）通信などの各種機能を実行するとともに、２つの表示モジュール２０を制御する。ホスト１０は、制御装置１２を備える。
【００１６】
制御装置１２は、たとえばＣＰＵであり、ホストＣＰＵとも呼ばれる。制御装置１２は、画像データＤＤと制御データＣＤを２つの表示モジュール２０に供給し、これらのデータをもとに２つの表示モジュール２０を制御する。
【００１７】
第１表示モジュール２０ａは、第１表示装置２２ａと、第１表示制御装置２４ａとを備える。第２表示モジュール２０ｂは、第２表示装置２２ｂと、第２表示制御装置２４ｂとを備える。以下、第１表示装置２２ａと第２表示装置２２ｂを区別しない場合には表示装置２２と呼び、第１表示制御装置２４ａと第２表示制御装置２４ｂを区別しない場合には表示制御装置２４と呼ぶ。
【００１８】
２つの表示装置２２は、たとえば、カーナビゲーション画面などが表示される車室内のセンターディスプレイなどとして利用され、水平方向または垂直方向に隣接して配置される。２つの表示装置２２は、カーナビゲーション画面などの１画面の一部ずつをそれぞれ表示して、２つの画面で１画面を構成してもよいし、一方がカーナビゲーション画面などの第１の画面を表示し、他方が第１の画面とは異なるテレビ画面などの第２の画面を表示してもよい。
【００１９】
表示装置２２は、インセル型のＩＰＳ（In Plane Switching）方式の液晶表示装置であり、タッチディスプレイとして構成され、タッチ位置を検出可能である。表示装置２２の構成は、例えば、以下に説明する周知の構成となっている。
【００２０】
図２は、図１の表示装置２２の回路構成を概略的に示す。図２は、各構成要素の概略的な配置も示す。表示装置２２は、行方向に延びる複数のゲート線Ｇ１，Ｇ２，・・・と、列方向に延びる複数のソース線Ｓ１，Ｓ２，・・・と、複数の画素スイッチング素子３０と、複数の画素電極３２と、複数の共通電極３４とを備える。各画素スイッチング素子３０は、薄膜トランジスタであり、ゲート線とソース線の交点付近に画素に対応して設けられる。各画素スイッチング素子３０において、ゲートにはゲート線が接続され、ソースにはソース線が接続され、ドレインには画素電極３２が接続される。１つの共通電極３４に対して、複数の画素スイッチング素子３０と複数の画素電極３２が配置される。画素電極３２と共通電極３４との間の電界により液晶層が制御される。共通電極３４は、画像表示およびタッチ検出に共用される。そのため、電極の層数を削減して、表示装置２２を薄く構成できる。
【００２１】
図３は、図２の共通電極３４の配置を示す上面図である。複数の共通電極３４は、マトリクス状に配置される。第１表示装置２２ａの各共通電極３４は、信号線３６で第１表示制御装置２４ａに接続され、第２表示装置２２ｂの各共通電極３４は、信号線３６で第２表示制御装置２４ｂに接続される。
【００２２】
表示装置２２は、自己容量方式によりタッチ位置を検出する。表示装置２２の表示面に指が近づくと、共通電極３４と指の間に静電容量が発生する。静電容量が発生すると共通電極３４における寄生容量が増加し、共通電極３４にタッチ駆動信号を供給するときの電流が増加する。この電流の変動量にもとづいてタッチ位置が検出される。
【００２３】
図１に戻る。第１表示制御装置２４ａは、たとえばＩＣとして構成され、ホスト１０からの制御データＣＤと画像データＤＤにしたがって第１表示装置２２ａを制御する。第１表示制御装置２４ａは、第１制御回路７０ａと、第３駆動回路７２ａと、第１駆動回路７４ａと、第１タッチ検出回路７６ａとを備える。
【００２４】
第１制御回路７０ａは、たとえばマイコンで構成され、第３駆動回路７２ａと第１駆動回路７４ａの信号生成タイミング、第１タッチ検出回路７６ａのタッチ検出タイミングなどを制御する。
【００２５】
第１制御回路７０ａは、第１フレーム期間に、表示画像の１フレームが第１表示装置２２ａに描画され、かつ、１画面のタッチ検出が少なくとも１回実行されるよう、第３駆動回路７２ａ、第１駆動回路７４ａおよび第１タッチ検出回路７６ａを制御する。第１フレーム期間は、第１垂直同期期間とも呼べる。第１フレーム期間の詳細は後述する。
【００２６】
第３駆動回路７２ａは、第１制御回路７０ａの制御にしたがい、第１基準クロック信号を生成する。第３駆動回路７２ａは、第１制御回路７０ａの制御にしたがい、ホスト１０からの画像データＤＤにもとづいて、生成された第１基準クロック信号に同期したソース信号ＳＳを生成する。第３駆動回路７２ａは、第１制御回路７０ａの制御にしたがい、生成された第１基準クロック信号に同期したゲート信号ＧＳを生成する。
【００２７】
第３駆動回路７２ａは、ソース信号ＳＳを第１表示装置２２ａの複数のソース線に順次供給し、ゲート信号ＧＳを第１表示装置２２ａの複数のゲート線に順次供給する。
【００２８】
第３駆動回路７２ａは、第１基準クロック信号を第１駆動回路７４ａに供給する。第１駆動回路７４ａは、第１制御回路７０ａの制御にしたがい、予め定められた固定電圧である基準電圧ＶＣＯＭ、および、第１基準クロック信号に同期した矩形波のタッチ駆動信号ＴＸを生成する。第１駆動回路７４ａは、図３の信号線３６を介して、基準電圧ＶＣＯＭまたはタッチ駆動信号ＴＸを第１表示装置２２ａの全体の複数の共通電極３４に供給する。
【００２９】
第１タッチ検出回路７６ａは、第１表示装置２２ａへの物体のタッチを検出する。第１タッチ検出回路７６ａは、第１制御回路７０ａの制御にしたがい、共通電極３４にタッチ駆動信号ＴＸが供給されたときのタッチ検出信号ＲＸを共通電極３４から受け、タッチ検出信号ＲＸにもとづいてタッチ位置を検出する。第１タッチ検出回路７６ａは、検出したタッチ位置の情報を第１制御回路７０ａに出力する。
【００３０】
第１制御回路７０ａは、第１タッチ検出回路７６ａからのタッチ位置の情報にもとづいてタッチ位置の座標データＴＤを導出し、その座標データＴＤをホスト１０の制御装置１２に出力する。制御装置１２は、座標データＴＤに応じて各種処理を実行する。
【００３１】
第３駆動回路７２ａは、第１基準クロック信号にもとづいて、たとえば第１フレーム期間の開始タイミング毎に同期信号ＳＹを第２表示制御装置２４ｂに出力する。同期信号ＳＹの出力タイミングは、第１表示制御装置２４ａと第２表示制御装置２４ｂの間で信号を同期させることができれば、特に限定されない。
【００３２】
第２表示制御装置２４ｂは、たとえばＩＣとして構成され、ホスト１０からの制御データＣＤと画像データＤＤ、第１表示制御装置２４ａからの同期信号ＳＹにしたがって第２表示装置２２ｂを制御する。第２表示制御装置２４ｂの基本的な動作は、第１表示制御装置２４ａの動作と共通するが、動作タイミングが異なる。第２表示制御装置２４ｂは、第２制御回路７０ｂと、第４駆動回路７２ｂと、第２駆動回路７４ｂと、第２タッチ検出回路７６ｂとを備える。
【００３３】
第２制御回路７０ｂは、たとえばマイコンで構成され、同期信号ＳＹにもとづいて、第４駆動回路７２ｂと第２駆動回路７４ｂの信号生成タイミング、第２タッチ検出回路７６ｂのタッチ検出タイミングなどを制御する。第２制御回路７０ｂと前述の第１制御回路７０ａをまとめて制御回路と呼べる。
【００３４】
第２制御回路７０ｂは、第２フレーム期間に、表示画像の１フレームが第２表示装置２２ｂに描画され、かつ、１画面のタッチ検出が少なくとも１回実行されるよう、第４駆動回路７２ｂ、第２駆動回路７４ｂおよび第２タッチ検出回路７６ｂを制御する。第２制御回路７０ｂは、同期信号ＳＹにもとづいて、第２フレーム期間の開始タイミングが第１フレーム期間の開始タイミングから所定時間だけ遅れるよう制御する。第２フレーム期間は、第２垂直同期期間とも呼べる。第２フレーム期間の詳細は後述する。
【００３５】
第４駆動回路７２ｂは、第２制御回路７０ｂの制御にしたがい、第２基準クロック信号を生成する。第４駆動回路７２ｂは、第２制御回路７０ｂの制御にしたがい、ホスト１０からの画像データＤＤにもとづいて、生成された第２基準クロック信号に同期したソース信号ＳＳを生成する。第４駆動回路７２ｂは、第２制御回路７０ｂの制御にしたがい、生成された第２基準クロック信号に同期したゲート信号ＧＳを生成する。
【００３６】
第４駆動回路７２ｂは、ソース信号ＳＳを第２表示装置２２ｂの複数のソース線に順次供給し、ゲート信号ＧＳを第２表示装置２２ｂの複数のゲート線に順次供給する。
【００３７】
第４駆動回路７２ｂは、第２基準クロック信号を第２駆動回路７４ｂに供給する。第２駆動回路７４ｂは、第２制御回路７０ｂの制御にしたがい、基準電圧ＶＣＯＭ、および、第２基準クロック信号に同期した矩形波のタッチ駆動信号ＴＸを生成する。第２駆動回路７４ｂは、図３の信号線３６を介して、基準電圧ＶＣＯＭまたはタッチ駆動信号ＴＸを第２表示装置２２ｂの全体の複数の共通電極３４に供給する。
【００３８】
第２タッチ検出回路７６ｂは、第２表示装置２２ｂへの物体のタッチを検出する。第２タッチ検出回路７６ｂは、第２制御回路７０ｂの制御にしたがい、共通電極３４にタッチ駆動信号ＴＸが供給されたときのタッチ検出信号ＲＸを共通電極３４から受け、タッチ検出信号ＲＸにもとづいてタッチ位置を検出する。第２タッチ検出回路７６ｂは、検出したタッチ位置の情報を第２制御回路７０ｂに出力する。
【００３９】
第２制御回路７０ｂは、第２タッチ検出回路７６ｂからのタッチ位置の情報にもとづいてタッチ位置の座標データＴＤを導出し、その座標データＴＤを制御装置１２に出力する。
【００４０】
制御装置１２、第１制御回路７０ａ、第２制御回路７０ｂの構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００４１】
図４は、第１表示装置２２ａにおける第１フレーム期間Ｆａと、第２表示装置２２ｂにおける第２フレーム期間Ｆｂのタイミングを示す。
【００４２】
第１フレーム期間Ｆａは、９つの第１表示期間Ｄａと、２つの第１タッチ検出期間Ｔ１ａと、２つの第１タッチ検出期間Ｔ２ａと、２つの第１タッチ検出期間Ｔ３ａと、２つの第１タッチ検出期間Ｔ４ａとを含む。第１表示期間Ｄａと第１タッチ検出期間は交互に配置される。第１フレーム期間Ｆａにおいて、第１表示期間Ｄａ、第１タッチ検出期間Ｔ１ａ、第１表示期間Ｄａ、第１タッチ検出期間Ｔ２ａ、第１表示期間Ｄａ、第１タッチ検出期間Ｔ３ａ、第１表示期間Ｄａ、第１タッチ検出期間Ｔ４ａ、第１表示期間Ｄａ、第１タッチ検出期間Ｔ１ａ、第１表示期間Ｄａ、第１タッチ検出期間Ｔ２ａ、第１表示期間Ｄａ、第１タッチ検出期間Ｔ３ａ、第１表示期間Ｄａ、第１タッチ検出期間Ｔ４ａ、第１表示期間Ｄａは、この順に並ぶ。
【００４３】
第２フレーム期間Ｆｂは、９つの第２表示期間Ｄｂと、２つの第２タッチ検出期間Ｔ１ｂと、２つの第２タッチ検出期間Ｔ２ｂと、２つの第２タッチ検出期間Ｔ３ｂと、２つの第２タッチ検出期間Ｔ４ｂとを含む。第２表示期間Ｄｂと第２タッチ検出期間は交互に配置される。第２フレーム期間Ｆｂにおいて、第２表示期間Ｄｂ、第２タッチ検出期間Ｔ１ｂ、第２表示期間Ｄｂ、第２タッチ検出期間Ｔ２ｂ、第２表示期間Ｄｂ、第２タッチ検出期間Ｔ３ｂ、第２表示期間Ｄｂ、第２タッチ検出期間Ｔ４ｂ、第２表示期間Ｄｂ、第２タッチ検出期間Ｔ１ｂ、第２表示期間Ｄｂ、第２タッチ検出期間Ｔ２ｂ、第２表示期間Ｄｂ、第２タッチ検出期間Ｔ３ｂ、第２表示期間Ｄｂ、第２タッチ検出期間Ｔ４ｂ、第２表示期間Ｄｂは、この順に並ぶ。
【００４４】
複数の第１タッチ検出期間Ｔ１ａからＴ４ａのそれぞれの開始および終了タイミングは、複数の第２表示期間Ｄｂのいずれかに重複する。
【００４５】
複数の第２タッチ検出期間Ｔ１ｂからＴ４ｂのそれぞれの開始および終了タイミングは、複数の第１表示期間Ｄａのいずれかに重複する。
【００４６】
第１表示期間Ｄａの長さは、第２表示期間Ｄｂの長さと等しい。第１タッチ検出期間Ｔ１ａからＴ４ａ、第２タッチ検出期間Ｔ１ｂからＴ４ｂのそれぞれの長さは等しい。第１表示期間Ｄａ、第２表示期間Ｄｂのそれぞれの長さは、第１タッチ検出期間Ｔ１ａからＴ４ａ、第２タッチ検出期間Ｔ１ｂからＴ４ｂのそれぞれの長さより長い。
【００４７】
第１フレーム期間Ｆａの長さは、第２フレーム期間Ｆｂの長さと等しい。第１フレーム期間Ｆａの開始タイミング（時刻ｔ１）は、第２フレーム期間Ｆｂの開始タイミング（時刻ｔ２）とは異なる。
【００４８】
第１フレーム期間Ｆａの第１表示期間Ｄａの数、第２フレーム期間Ｆｂの第２表示期間Ｄｂの数は、それぞれ「９」に限定されない。第１フレーム期間Ｆａの第１タッチ検出期間の数、第２フレーム期間Ｆｂの第２タッチ検出期間の数は、それぞれ「８」に限定されない。
【００４９】
図５（ａ）は、図４の第１タッチ検出期間Ｔ４ａにおける表示装置２２の動作を説明する図である。図５（ｂ）は、図４の第２タッチ検出期間Ｔ１ｂにおける表示装置２２の動作を説明する図である。
【００５０】
第１表示装置２２ａと第２表示装置２２ｂは、観察者から見て水平方向に隣接して配置される。
【００５１】
第１表示装置２２ａは、第２表示装置２２ｂに近づく方向に順に並ぶ第１タッチ検出領域Ｒ１ａ，Ｒ２ａ，Ｒ３ａ，Ｒ４ａを含む。つまり第１タッチ検出領域Ｒ１ａ，Ｒ２ａ，Ｒ３ａ，Ｒ４ａは、第１表示装置２２ａと第２表示装置２２ｂの配置方向に沿った方向である水平方向に並ぶ。最も右側の第１タッチ検出領域Ｒ４ａは、第２表示装置２２ｂに隣接する。第１表示装置２２ａの全体の複数の共通電極３４は、第１タッチ検出領域Ｒ１ａからＲ４ａのそれぞれに複数ずつ配置される。
【００５２】
第２表示装置２２ｂは、第１表示装置２２ａから離れる方向に順に並ぶ第２タッチ検出領域Ｒ１ｂ，Ｒ２ｂ，Ｒ３ｂ，Ｒ４ｂを含む。つまり第２タッチ検出領域Ｒ１ｂ，Ｒ２ｂ，Ｒ３ｂ，Ｒ４ｂは、水平方向に並ぶ。最も左側の第２タッチ検出領域Ｒ１ｂは、第１表示装置２２ａに隣接する。第２表示装置２２ｂの全体の複数の共通電極３４は、第２タッチ検出領域Ｒ１ｂからＲ４ｂに複数ずつ配置される。１つの表示装置２２のタッチ検出領域の数は「４」に限定されない。
【００５３】
図４に戻り、第１表示装置２２ａは、第１表示期間Ｄａ毎に１フレームを１／９ずつ表示する。第１フレーム期間Ｆａの９つの第１表示期間Ｄａにより、１フレームが表示される。具体的には第１表示期間Ｄａの間、第３駆動回路７２ａは、複数のソース線にソース信号ＳＳを供給し、対象のゲート線にゲート信号ＧＳを供給し、第１駆動回路７４ａは複数の共通電極３４に基準電圧ＶＣＯＭを供給する。第１表示期間Ｄａにはタッチ駆動信号ＴＸは共通電極３４に供給されない。
【００５４】
第１タッチ検出回路７６ａは、第１タッチ検出期間毎に異なる第１タッチ検出領域でタッチを検出する。つまり第１タッチ検出回路７６ａは、第１タッチ検出期間Ｔ１ａの間、第１タッチ検出領域Ｒ１ａでタッチを検出し、第１タッチ検出期間Ｔ２ａの間、第１タッチ検出領域Ｒ２ａでタッチを検出し、第１タッチ検出期間Ｔ３ａの間、第１タッチ検出領域Ｒ３ａでタッチを検出し、第１タッチ検出期間Ｔ４ａの間、第１タッチ検出領域Ｒ４ａでタッチを検出する。第１フレーム期間Ｆａの８つの第１タッチ検出期間により、１画面のタッチ検出が２回実行される。
【００５５】
具体的には第１駆動回路７４ａは、第１タッチ検出期間の間、第１表示装置２２ａの全体の複数の共通電極３４にタッチ駆動信号ＴＸを供給する。第１タッチ検出回路７６ａは、第１タッチ検出期間の間、検出対象の第１タッチ検出領域の複数の共通電極３４から受信したタッチ検出信号ＲＸにもとづいて、検出対象の第１タッチ検出領域のタッチを検出する。タッチ検出期間には基準電圧ＶＣＯＭは共通電極３４に供給されない。
【００５６】
第２表示装置２２ｂは、第２表示期間Ｄｂ毎に１フレームの１／９の画像を表示する。第２フレーム期間Ｆｂの９つの第２表示期間Ｄｂにより、１フレームが表示される。具体的には第２表示期間Ｄｂの間、第４駆動回路７２ｂは、複数のソース線にソース信号ＳＳを供給し、対象のゲート線にゲート信号ＧＳを供給し、第２駆動回路７４ｂは複数の共通電極３４に基準電圧ＶＣＯＭを供給する。第２表示期間Ｄｂにはタッチ駆動信号ＴＸは共通電極３４に供給されない。
【００５７】
第２タッチ検出回路７６ｂは、第２タッチ検出期間毎に異なる第２タッチ検出領域でタッチを検出する。つまり第２タッチ検出回路７６ｂは、第２タッチ検出期間Ｔ１ｂの間、第２タッチ検出領域Ｒ１ｂでタッチを検出し、第２タッチ検出期間Ｔ２ｂの間、第２タッチ検出領域Ｒ２ｂでタッチを検出し、第２タッチ検出期間Ｔ３ｂの間、第２タッチ検出領域Ｒ３ｂでタッチを検出し、第２タッチ検出期間Ｔ４ｂの間、第２タッチ検出領域Ｒ４ｂでタッチを検出する。第２フレーム期間Ｆｂの８つの第２タッチ検出期間により、１画面のタッチ検出が２回実行される。
【００５８】
具体的には第２駆動回路７４ｂは、第２タッチ検出期間の間、第２表示装置２２ｂの全体の複数の共通電極３４にタッチ駆動信号ＴＸを供給する。第２タッチ検出回路７６ｂは、第２タッチ検出期間の間、検出対象の第２タッチ検出領域の複数の共通電極３４から受信したタッチ検出信号ＲＸにもとづいて、検出対象の第２タッチ検出領域のタッチを検出する。タッチ検出期間には基準電圧ＶＣＯＭは共通電極３４に供給されない。
【００５９】
図５（ａ）に示すように、図４の第１タッチ検出期間Ｔ４ａの間、第１表示装置２２ａでは第２表示装置２２ｂに隣接する第１タッチ検出領域Ｒ４ａのタッチ検出が実行され、第２表示装置２２ｂでは画像表示が実行される。つまり、第１タッチ検出領域Ｒ４ａのタッチ検出中、第２表示装置２２ｂではタッチ検出が実行されず、したがって第２表示装置２２ｂではタッチ駆動信号ＴＸが複数の共通電極３４に供給されない。
【００６０】
図５（ｂ）に示すように、図４の第２タッチ検出期間Ｔ１ｂの間、第２表示装置２２ｂでは第１表示装置２２ａに隣接する第２タッチ検出領域Ｒ１ｂのタッチ検出が実行され、第１表示装置２２ａでは画像表示が実行される。つまり、第２タッチ検出領域Ｒ１ｂのタッチ検出中、第２表示装置２２ｂではタッチ検出が実行されず、したがって第１表示装置２２ａではタッチ駆動信号ＴＸが複数の共通電極３４に供給されない。
【００６１】
ここで、比較例について説明する。図６は、比較例の表示システムの第１フレーム期間Ｆａと第２フレーム期間Ｆｂのタイミングを示す。比較例では、第１フレーム期間Ｆａの開始タイミングと第２フレーム期間Ｆｂの開始タイミングが一致し、対応する第１表示期間Ｄａの開始タイミングと第２表示期間Ｄｂの開始タイミングが一致し、対応する第１タッチ検出期間の開始タイミングと第２タッチ検出期間の開始タイミングが一致することが、本実施の形態と異なる。つまり、比較例では、２つの表示装置２２において、画像表示が同時に実行され、タッチ検出が同時に実行される。
【００６２】
図７（ａ）は、図６の第１タッチ検出期間Ｔ４ａにおける表示装置２２の動作を説明する図である。図７（ｂ）は、図６の第２タッチ検出期間Ｔ１ｂにおける表示装置２２の動作を説明する図である。
【００６３】
図７（ａ）に示すように、第１タッチ検出期間Ｔ４ａの間、第１表示装置２２ａでは第２表示装置２２ｂに隣接する第１タッチ検出領域Ｒ４ａのタッチ検出が行われ、第２表示装置２２ｂでは第２タッチ検出領域Ｒ４ｂのタッチ検出が行われる。つまり、第１タッチ検出領域Ｒ４ａのタッチ検出中、第２表示装置２２ｂの全体の複数の共通電極３４にタッチ駆動信号ＴＸが供給される。よって、第１表示装置２２ａに最も近い第２表示装置２２ｂの共通電極３４に供給されたタッチ駆動信号ＴＸによりノイズが発生し、そのノイズが第１タッチ検出領域Ｒ４ａの共通電極３４の電荷に影響を与える可能性がある。その結果、第１タッチ検出領域Ｒ４ａのタッチ検出信号ＲＸが変化し、第１タッチ検出回路７６ａは、第１タッチ検出領域Ｒ４ａに物体が接触していなくても接触があったと誤検出する可能性がある。
【００６４】
図７（ｂ）に示すように、第２タッチ検出期間Ｔ１ｂの間、第２表示装置２２ｂでは第１表示装置２２ａに隣接する第２タッチ検出領域Ｒ１ｂのタッチ検出が行われ、第１表示装置２２ａでは第１タッチ検出領域Ｒ１ａのタッチ検出が行われる。この場合も、第２表示装置２２ｂに最も近い第１表示装置２２ａの共通電極３４に供給されたタッチ駆動信号ＴＸによりノイズが発生し、そのノイズにより第２タッチ検出領域Ｒ１ｂのタッチ検出信号ＲＸが変化し、第２タッチ検出回路７６ｂは、第２タッチ検出領域Ｒ１ｂに物体が接触していなくても接触があったと誤検出する可能性がある。
【００６５】
比較例に対して、本実施の形態では、図４，５（ａ），５（ｂ）を参照して説明したように、第２表示装置２２ｂに隣接する第１タッチ検出領域Ｒ４ａのタッチ検出中、第２表示装置２２ｂの共通電極３４にタッチ駆動信号ＴＸが供給されないため、第２表示装置２２ｂのタッチ駆動信号ＴＸによるノイズの影響を受けない。また、第１表示装置２２ａに隣接する第２タッチ検出領域Ｒ１ｂのタッチ検出中、第１表示装置２２ａの共通電極３４にタッチ駆動信号ＴＸが供給されないため、第１表示装置２２ａのタッチ駆動信号ＴＸによるノイズの影響を受けない。よって、比較例よりも誤検出を抑制できる。
【００６６】
次に、以上の構成による表示システム１の全体的な動作を説明する。図８は、図１の表示システム１の起動処理を示すフローチャートである。ホスト１０は第１表示制御装置２４ａと第２表示制御装置２４ｂを起動し（Ｓ１０）、第１表示制御装置２４ａは第２表示制御装置２４ｂに同期信号ＳＹを送信し（Ｓ１２）、第２表示制御装置２４ｂは、受信した同期信号ＳＹにもとづいて第２フレーム期間Ｆｂの開始タイミングを設定し（Ｓ１４）、処理を終了する。
【００６７】
本実施の形態によれば、第２表示装置２２ｂに隣接する第１タッチ検出領域Ｒ４ａの第１タッチ検出期間Ｔ４ａの開始および終了タイミングは、第２表示期間Ｄｂに重複するので、第１タッチ検出領域Ｒ４ａのタッチ検出は、第２表示装置２２ｂでのタッチ検出によるノイズの影響を受けない。よって、第１タッチ検出領域Ｒ４ａのタッチ検出において誤検出を抑制できる。
【００６８】
また、第１表示装置２２ａに隣接する第２タッチ検出領域Ｒ１ｂの第２タッチ検出期間Ｔ１ｂの開始および終了タイミングは、第１表示期間Ｄａに重複するので、第２タッチ検出領域Ｒ１ｂのタッチ検出は、第１表示装置２２ａでのタッチ検出によるノイズの影響を受けない。よって、第２タッチ検出領域Ｒ１ｂのタッチ検出において誤検出を抑制できる。
【００６９】
また、第１フレーム期間Ｆａの開始タイミングは第２フレーム期間Ｆｂの開始タイミングと異なり、第１フレーム期間Ｆａ内の各期間の長さおよび配置は第２フレーム期間Ｆｂ内の各期間の長さおよび配置と共通である。よって、表示システム１の構成の複雑化を抑制できる。
【００７０】
（第２の実施の形態）
第２の実施の形態では、第２フレーム期間Ｆｂにおいて最初の第２表示期間Ｄｂが他の第２表示期間Ｄｂより長く、最後の第２表示期間Ｄｂが他の第２表示期間Ｄｂより短いことが第１の実施の形態と異なる。以下、第１の実施の形態との相違点を中心に説明する。
【００７１】
図９は、第２の実施の形態に係る第１フレーム期間Ｆａと第２フレーム期間Ｆｂのタイミングを示す。第１フレーム期間Ｆａの開始タイミングは、第２フレーム期間Ｆｂの開始タイミングと一致する。第１フレーム期間Ｆａの構成は第１の実施の形態と同一である。
【００７２】
第２フレーム期間Ｆａの最初の第２表示期間Ｄｂ、すなわち複数の第２表示期間Ｄｂの１つは、第１表示期間Ｄａより長い。第２フレーム期間Ｆｂの最後の第２表示期間Ｄｂ、すなわち複数の第２表示期間Ｄｂの１つは、第１表示期間Ｄａより短い。第２フレーム期間Ｆｂの２番目から最後の１つ前までの第２表示期間Ｄｂ、すなわち複数の第２表示期間Ｄｂの残りは、第１表示期間Ｄａと同じ長さである。
【００７３】
本実施の形態によれば、第１フレーム期間Ｆａの開始タイミングは、第２フレーム期間Ｆｂの開始タイミングに一致するので、たとえば第１表示装置２２ａと第２表示装置２２ｂで１画像の一部ずつを分担して表示する場合、第１表示装置２２ａの画像と第２表示装置２２ｂの画像との間でちらつきが視認され難くできる。よって、表示システム１の画像の表示品質を向上できる。
【００７４】
（第３の実施の形態）
第３の実施の形態では、隣の表示装置２２に隣接しない複数のタッチ検出領域の複数のタッチ検出期間の一部は、表示期間と重複しないことが第１の実施の形態と異なる。以下、第１の実施の形態との相違点を中心に説明する。
【００７５】
図１０は、第３の実施の形態に係る第１フレーム期間Ｆａと第２フレーム期間Ｆｂのタイミングを示す。第１フレーム期間Ｆａの開始タイミングは、第２フレーム期間Ｆｂの開始タイミングと一致する。第１フレーム期間Ｆａの構成は第１の実施の形態と同一である。
【００７６】
第２表示装置２２ｂに隣接する第１タッチ検出領域Ｒ４ａでタッチ検出が行われる特定の第１タッチ検出期間Ｔ４ａの開始および終了タイミングは、第２表示期間Ｄｂに重複する。
【００７７】
第１表示装置２２ａに隣接する第２タッチ検出領域Ｒ１ｂでタッチ検出が行われる特定の第２タッチ検出期間Ｔ１ｂの開始および終了タイミングは、第１表示期間Ｄａに重複する。
【００７８】
第１タッチ検出期間Ｔ１ａの開始および終了タイミングも、第２表示期間Ｄｂに重複する。第２タッチ検出期間Ｔ４ｂの開始および終了タイミングも、第１表示期間Ｄａに重複する。
【００７９】
第１タッチ検出期間Ｔ２ａの全体は、第２タッチ検出期間Ｔ２ｂに重複する。第１タッチ検出期間Ｔ３ａの全体は、第２タッチ検出期間Ｔ３ｂに重複する。つまり、特定の第１タッチ検出期間Ｔ４ａ以外の複数の第１タッチ検出期間の一部、すなわち第１タッチ検出期間Ｔ２ａ，Ｔ３ａのそれぞれは、特定の第２タッチ検出期間Ｔ１ｂ以外の第２タッチ検出期間のいずれかに重複する。
【００８０】
本実施の形態では、比較例の第２フレーム期間Ｆｂの第２タッチ検出期間Ｔ１ｂとＴ４ｂを第１表示期間Ｄａに重複するように移動し、それに伴い第２タッチ検出期間Ｔ１ｂとＴ４ｂのそれぞれの前後の第２表示期間Ｄｂの長さを変更したとも言える。第２タッチ検出期間Ｔ１ｂとＴ４ｂのそれぞれは、前に移動してもよいし、後に移動してもよい。
本実施の形態によれば、第２の実施の形態の効果が得られる。
【００８１】
（第４の実施の形態）
第４の実施の形態では、一部の第１表示期間Ｄａの長さが第３の実施の形態から変更される。以下、第３の実施の形態との相違点を中心に説明する。
【００８２】
図１１は、第４の実施の形態に係る第１フレーム期間Ｆａと第２フレーム期間Ｆｂのタイミングを示す。本実施の形態でも、第１タッチ検出期間Ｔ１ａとＴ４ａのそれぞれの開始および終了タイミングは、第２表示期間Ｄｂに重複する。第２タッチ検出期間Ｔ１ｂとＴ４ｂのそれぞれの開始および終了タイミングは、第１表示期間Ｄａに重複する。
【００８３】
２つの第１タッチ検出期間Ｔ１ａのうち最初のものは、２つの第２タッチ検出期間Ｔ１ｂのうち最初のものより前に配置される。２つの第１タッチ検出期間Ｔ１ａのうち２番目のものは、２つの第２タッチ検出期間Ｔ１ｂのうち２番目のものより後に配置される。
【００８４】
２つの第２タッチ検出期間Ｔ４ｂのうち最初のものは、２つの第１タッチ検出期間Ｔ４ａのうち最初のものより後に配置される。２つの第２タッチ検出期間Ｔ４ｂのうち２番目のものは、２つの第１タッチ検出期間Ｔ４ａのうち２番目のものより後に配置される。
【００８５】
本実施の形態では、比較例の第１フレーム期間Ｆａの第１タッチ検出期間Ｔ１ａを第２表示期間Ｄｂに重複するように移動し、それに伴い第１タッチ検出期間Ｔ１ａの前後の第２表示期間Ｄｂの長さを変更したとも言える。その上で、比較例の第２フレーム期間Ｆｂの第２タッチ検出期間Ｔ４ｂを第１表示期間Ｄａに重複するように移動し、それに伴い第２タッチ検出期間Ｔ４ｂの前後の第２表示期間Ｄｂの長さを変更したとも言える。第１タッチ検出期間Ｔ１ａと第２タッチ検出期間Ｔ４ｂのそれぞれは、前に移動してもよいし、後に移動してもよい。第１タッチ検出期間Ｔ１ａと第２タッチ検出期間Ｔ４ｂの代わりに、第１タッチ検出期間Ｔ４ａと第２タッチ検出期間Ｔ１ｂのそれぞれを移動してもよい。
本実施の形態によれば、第２の実施の形態の効果が得られる。
【００８６】
（第５の実施の形態）
第５の実施の形態では、タッチ検出領域は垂直方向に並ぶことが第１の実施の形態と異なる。以下、第１の実施の形態との相違点を中心に説明する。
【００８７】
図１２は、第５の実施の形態に係る表示装置２２の動作を説明する図である。第１表示装置２２ａの第１タッチ検出領域Ｒ１ａからＲ４ａと、第２表示装置２２ｂの第２タッチ検出領域Ｒ１ｂからＲ４ｂ（図示せず）は、第１表示装置２２ａと第２表示装置２２ｂの配置方向に交差した方向、すなわち垂直方向に並ぶ。つまり、第１タッチ検出領域Ｒ１ａからＲ４ａは、第２表示装置２２ｂに隣接し、第２タッチ検出領域Ｒ１ｂからＲ４ｂは、第１表示装置２２ａに隣接する。
【００８８】
第１の実施の形態と同様に、第１タッチ検出期間Ｔ１ａからＴ４ａのそれぞれの開始および終了タイミングは、複数の第２表示期間Ｄｂのいずれかに重複し、第２タッチ検出期間Ｔ１ｂからＴ４ｂのそれぞれの開始および終了タイミングは、複数の第１表示期間Ｄａのいずれかに重複する。
【００８９】
そのため、図１２に示すように、第１表示装置２２ａの第１タッチ検出領域Ｒ１ａでタッチ検出が行われる間、第２表示装置２２ｂは画像を表示する。第１タッチ検出領域Ｒ２ａからＲ４ａのそれぞれでタッチ検出が行われる間も、第２表示装置２２ｂは画像を表示する。同様に、第２表示装置２２ｂの第２タッチ検出領域Ｒ１ｂからＲ４ｂのそれぞれでタッチ検出が行われる間、第１表示装置２２ａは画像を表示する。
【００９０】
よって、第１タッチ検出領域Ｒ１ａからＲ４ａのタッチ検出において、第２表示装置２２ｂでのタッチ検出によるノイズの影響を受けず、第２タッチ検出領域Ｒ１ｂからＲ４ｂのタッチ検出においても、第１表示装置２２ａでのタッチ検出によるノイズの影響を受けない。したがって、タッチ検出領域が垂直方向に並ぶ場合にも、タッチ検出において誤検出を抑制できる。また、表示システム１の構成の自由度を向上することもできる。
【００９１】
（第６の実施の形態）
第６の実施の形態では、表示装置２２は垂直方向に隣接し、タッチ検出領域は水平方向に並ぶことが第１の実施の形態と異なる。以下、第１の実施の形態との相違点を中心に説明する。
【００９２】
図１３は、第６の実施の形態に係る表示装置２２の動作を説明する図である。第１表示装置２２ａと第２表示装置２２ｂは、垂直方向に隣接して配置される。第１表示装置２２ａの第１タッチ検出領域Ｒ１ａからＲ４ａ（図示せず）と、第２表示装置２２ｂの第２タッチ検出領域Ｒ１ｂからＲ４ｂは、第１表示装置２２ａと第２表示装置２２ｂの配置方向に交差した方向、すなわち水平方向に並ぶ。つまり、第１タッチ検出領域Ｒ１ａからＲ４ａは、第２表示装置２２ｂに隣接し、第２タッチ検出領域Ｒ１ｂからＲ４ｂは、第１表示装置２２ａに隣接する。
【００９３】
図１３に示すように、第２表示装置２２ｂの第２タッチ検出領域Ｒ１ｂでタッチ検出が行われる間、第１表示装置２２ａは画像を表示する。第２タッチ検出領域Ｒ２ｂからＲ４ｂのそれぞれでタッチ検出が行われる間も、第１表示装置２２ａは画像を表示する。同様に、第１表示装置２２ａの第１タッチ検出領域Ｒ１ａからＲ４ａのそれぞれでタッチ検出が行われる間、第２表示装置２２ｂは画像を表示する。よって、タッチ検出において誤検出を抑制できる。また、表示システム１の構成の自由度を向上することもできる。
【００９４】
（第７の実施の形態）
第７の実施の形態では、表示装置２２は垂直方向に隣接し、タッチ検出領域は垂直方向に並ぶことが第１の実施の形態と異なる。以下、第１の実施の形態との相違点を中心に説明する。
【００９５】
図１４は、第７の実施の形態に係る表示装置２２の動作を説明する図である。第１表示装置２２ａと第２表示装置２２ｂは、垂直方向に隣接して配置される。第１表示装置２２ａの第１タッチ検出領域Ｒ１ａからＲ４ａ（図示せず）と、第２表示装置２２ｂの第２タッチ検出領域Ｒ１ｂからＲ４ｂは、第１表示装置２２ａと第２表示装置２２ｂの配置方向に沿った方向、すなわち垂直方向に並ぶ。つまり、第１タッチ検出領域Ｒ４ａは、第２表示装置２２ｂに隣接し、第２タッチ検出領域Ｒ１ｂは、第１表示装置２２ａに隣接する。
【００９６】
図１４に示すように、第２表示装置２２ｂの第２タッチ検出領域Ｒ１ｂでタッチ検出が行われる間、第１表示装置２２ａは画像を表示する。同様に、第１表示装置２２ａの第１タッチ検出領域Ｒ４ａでタッチ検出が行われる間も、第２表示装置２２ｂは画像を表示する。よって、タッチ検出において誤検出を抑制できる。また、表示システム１の構成の自由度を向上することもできる。
【００９７】
（第８の実施の形態）
第８の実施の形態では、ホスト１０の制御装置１２が第１表示装置２２ａと第２表示装置２２ｂに同期信号ＳＹを送信することが第１の実施の形態と異なる。以下、第１の実施の形態との相違点を中心に説明する。
【００９８】
図１５は、第８の実施の形態に係る表示システム１のブロック図である。制御装置１２は、たとえば第１フレーム期間の開始タイミング毎に共通の同期信号ＳＹを第１表示制御装置２４ａと第２表示制御装置２４ｂに送信する。第１表示制御装置２４ａは、第２表示制御装置２４ｂに同期信号を送信しない。
【００９９】
図１６は、図１５の表示システム１の起動処理を示すフローチャートである。ホスト１０は、第１表示制御装置２４ａと第２表示制御装置２４ｂを起動し（Ｓ２０）、第１表示制御装置２４ａと第２表示制御装置２４ｂに同期信号ＳＹを送信する（Ｓ２２）。ホスト１０は、駆動タイミングを指示する制御データＣＤを第１表示制御装置２４ａに送信し（Ｓ２４）、第１表示制御装置２４ａは、受信した同期信号ＳＹに同期して、受信した制御データＣＤに従った駆動タイミングで第１表示装置２２ａを駆動し（Ｓ２６）、処理を終了する。またホスト１０は、Ｓ２４と並行して、駆動タイミングを指示する制御データＣＤを第２表示制御装置２４ｂに送信する（Ｓ２８）。第２表示制御装置２４ｂは、受信した同期信号ＳＹに同期して、受信した制御データＣＤに従った駆動タイミングで第２表示装置２２ｂを駆動し（Ｓ３０）、処理を終了する。
【０１００】
本実施の形態によれば、表示システム１の構成の自由度を向上できる。
【０１０１】
以上、本開示について、実施の形態をもとに説明した。この実施の形態は例示であり、それらの各構成要素あるいは各処理プロセスの組合せにいろいろな変形例が可能なこと、また、そうした変形例も本開示の範囲にあることは当業者に理解されるところである。
【０１０２】
例えば、３以上の表示装置２２が隣接して配置されてもよい。実施の形態では表示制御装置２４が表示モジュール２０に含まれるが、表示制御装置２４はホスト１０に含まれてもよい。実施の形態では第３駆動回路７２ａと第４駆動回路７２ｂがそれぞれ基準クロック信号を生成するが、第１駆動回路７４ａと第２駆動回路７４ｂがそれぞれ基準クロック信号を生成してもよい。フレーム期間は、タッチ検出領域の数と同数のタッチ検出期間を含んでもよいし、タッチ検出領域の数の３倍以上のタッチ検出期間を含んでもよい。これらの変形例では、表示システム１の構成の自由度を向上できる。
【０１０３】
また、第５または第６の実施の形態を第２の実施の形態と組み合わせてもよい。第７の実施の形態を第２から第４の実施の形態のいずれかと組み合わせてもよい。第８の実施の形態を第２から第７の実施の形態のいずれかと組み合わせてもよい。組合せによって生じる新たな実施の形態は、組み合わされる実施の形態それぞれの効果をあわせもつ。
【０１０４】
表示装置２２は、例えば以下に説明する構成を有してもよい。図１７は、図１の表示装置２２の縦断面図である。表示装置２２は、厚さ方向に沿って順に重ねて配置されるバックライトユニット４０、下偏光板４２、薄膜トランジスタ基板（以下、ＴＦＴ基板と呼ぶ）４４、液晶層５２、カラーフィルタ基板５４、上偏光板５６、接合層５８、および、保護層６０を備える。
【０１０５】
以下の説明では、表示装置２２の厚さ方向のうち、ＴＦＴ基板４４に対して保護層６０が位置する側を前面側とし、その逆を背面側とする。
【０１０６】
表示装置２２は、バックライトユニット４０から出射された光を用いて、画像光を前面側、即ち観察者側に出射する。
【０１０７】
ＴＦＴ基板４４は、ガラス基板４６、ガラス基板４６の前面側に配置された複数のゲート電極４８、複数のソース電極５０、および、複数の共通電極３４を有する。図示は省略するが、ＴＦＴ基板４４は、図２の複数のゲート線Ｇ１，Ｇ２，・・・、複数のソース線Ｓ１，Ｓ２，・・・、複数の画素電極３２および複数の画素スイッチング素子３０も有する。ＴＦＴ基板４４の前面側に配置された液晶層５２は、画素電極３２と共通電極３４との間に発生する横方向の電界により制御される。
【０１０８】
接合層５８は、透光性を有し、上偏光板５６と保護層６０とを接合する。接合層５８は、例えば、ＯＣＲ（Optically Clear Resin）などの液状の透明樹脂、または、ＯＣＡ（Optically Clear Adhesive）などの透明粘着シートが硬化したものである。
【０１０９】
保護層６０は、表示装置２２を保護するための透光性を有する層であり、ガラス基板またはプラスチック基板などで構成される。保護層６０は、カバーレンズなどとも呼ばれる。
【０１１０】
本開示の一態様に係る表示システムは、
第１表示装置と、
前記第１表示装置に隣接して配置される第２表示装置と、
前記第１表示装置への物体のタッチを検出する第１タッチ検出回路と、
前記第２表示装置への物体のタッチを検出する第２タッチ検出回路と、
前記第１表示装置、前記第２表示装置、前記第１タッチ検出回路および前記第２タッチ検出回路を制御する制御回路と、
を備え、
前記第１表示装置は、前記第２表示装置に隣接する第１タッチ検出領域を含み、
前記第２表示装置は、第２タッチ検出領域を含み、
前記第１表示装置における第１フレーム期間は、前記第１表示装置が画像を表示する第１表示期間と、前記第１タッチ検出回路が前記第１タッチ検出領域でタッチを検出する第１タッチ検出期間とを含み、
前記第２表示装置における第２フレーム期間は、前記第２表示装置が画像を表示する第２表示期間と、前記第２タッチ検出回路が前記第２タッチ検出領域でタッチを検出する第２タッチ検出期間とを含み、
前記第１タッチ検出期間の開始および終了タイミングは、前記第２表示期間に重複する。
この態様によると、第１タッチ検出期間に第２表示装置は画像を表示するので、第１タッチ検出期間に第２表示装置でのタッチ検出によるノイズの発生を抑制できる。よって、第１タッチ検出領域のタッチ検出において誤検出を抑制できる。
【０１１１】
本開示の一態様に係る表示システムにおいて、例えば、
前記第２タッチ検出領域は、前記第１表示装置に隣接し、
前記第２タッチ検出期間の開始および終了タイミングは、前記第１表示期間に重複する、としても良い。
この場合、第２タッチ検出期間に第１表示装置は画像を表示するので、第２タッチ検出期間に第１表示装置でのタッチ検出によるノイズの発生を抑制できる。よって、第２タッチ検出領域のタッチ検出において誤検出を抑制できる。
【０１１２】
本開示の一態様に係る表示システムにおいて、例えば、
前記第１表示装置は、複数の第１タッチ検出領域を含み、当該複数の第１タッチ検出領域の少なくとも１つは前記第２表示装置に隣接し、
前記第２表示装置は、複数の第２タッチ検出領域を含み、当該複数の第２タッチ検出領域の少なくとも１つは前記第１表示装置に隣接し、
前記第１フレーム期間は、複数の第１表示期間と、複数の第１タッチ検出期間とを含み、第１表示期間と第１タッチ検出期間は交互に配置され、
前記第１タッチ検出回路は、第１タッチ検出期間毎に異なる第１タッチ検出領域でタッチを検出し、
前記第２フレーム期間は、複数の第２表示期間と、複数の第２タッチ検出期間とを含み、第２表示期間と第２タッチ検出期間は交互に配置され、
前記第２タッチ検出回路は、第２タッチ検出期間毎に異なる第２タッチ検出領域でタッチを検出し、
前記複数の第１タッチ検出期間のそれぞれの開始および終了タイミングは、前記複数の第２表示期間のいずれかに重複し、
前記複数の第２タッチ検出期間のそれぞれの開始および終了タイミングは、前記複数の第１表示期間のいずれかに重複する、としても良い。
この場合、誤検出を抑制できる。
【０１１３】
本開示の一態様に係る表示システムにおいて、例えば、
前記第１フレーム期間の開始タイミングは、前記第２フレーム期間の開始タイミングと異なる、としても良い。
この場合、第１フレーム期間内の各期間の長さおよび配置と、第２フレーム期間内の各期間の長さおよび配置とを共通化できるので、構成の複雑化を抑制できる。
【０１１４】
本開示の一態様に係る表示システムにおいて、例えば、
前記第１フレーム期間の開始タイミングは、前記第２フレーム期間の開始タイミングと一致し、
前記複数の第１表示期間は、それぞれ同じ長さであり、
前記複数の第２表示期間の１つは、第１表示期間より長く、
前記複数の第２表示期間の１つは、第１表示期間より短く、
前記複数の第２表示期間の残りは、第１表示期間と同じ長さである、としても良い。
この場合、第１フレーム期間の開始タイミングと、第２フレーム期間の開始タイミングとが一致するので、第１表示装置と第２表示装置の画像の表示品質を向上できる。
【０１１５】
本開示の一態様に係る表示システムにおいて、例えば、
前記第１フレーム期間の開始タイミングは、前記第２フレーム期間の開始タイミングと一致し、
前記第１表示装置は、複数の第１タッチ検出領域を含み、当該複数の第１タッチ検出領域の１つは前記第２表示装置に隣接し、
前記第２表示装置は、複数の第２タッチ検出領域を含み、当該複数の第２タッチ検出領域の１つは前記第１表示装置に隣接し、
前記第１フレーム期間は、複数の第１表示期間と、複数の第１タッチ検出期間とを含み、第１表示期間と第１タッチ検出期間は交互に配置され、
前記第１タッチ検出回路は、第１タッチ検出期間毎に異なる第１タッチ検出領域でタッチを検出し、
前記第２フレーム期間は、複数の第２表示期間と、複数の第２タッチ検出期間とを含み、第２表示期間と第２タッチ検出期間は交互に配置され、
前記第２タッチ検出回路は、第２タッチ検出期間毎に異なる第２タッチ検出領域でタッチを検出し、
前記第２表示装置に隣接する第１タッチ検出領域でタッチ検出が行われる特定の第１タッチ検出期間の開始および終了タイミングは、第２表示期間に重複し、
前記第１表示装置に隣接する第２タッチ検出領域でタッチ検出が行われる特定の第２タッチ検出期間の開始および終了タイミングは、第１表示期間に重複し、
前記特定の第１タッチ検出期間以外の複数の第１タッチ検出期間の一部のそれぞれは、前記特定の第２タッチ検出期間以外の第２タッチ検出期間のいずれかに重複する、としても良い。
この場合、第１フレーム期間の開始タイミングと、第２フレーム期間の開始タイミングとが一致するので、第１表示装置と第２表示装置の画像の表示品質を向上できる。
【０１１６】
本開示の一態様に係る表示システムにおいて、例えば、
前記複数の第１タッチ検出領域と前記複数の第２タッチ検出領域は、前記第１表示装置と前記第２表示装置の配置方向に沿った方向に並ぶ、としても良い。
この場合、表示システムの構成の自由度を向上できる。
【０１１７】
本開示の一態様に係る表示システムにおいて、例えば、
前記複数の第１タッチ検出領域と前記複数の第２タッチ検出領域は、前記第１表示装置と前記第２表示装置の配置方向に交差した方向に並ぶ、としても良い。
この場合、表示システムの構成の自由度を向上できる。
【０１１８】
本開示の一態様に係る表示システムにおいて、例えば、
前記第１表示装置は、前記複数の第１タッチ検出領域に複数ずつ配置された、画像表示およびタッチ検出に共用される複数の第１共通電極を含み、
前記第２表示装置は、前記複数の第２タッチ検出領域に複数ずつ配置された、画像表示およびタッチ検出に共用される複数の第２共通電極を含み、
前記表示システムは、
第１タッチ検出期間に、前記複数の第１共通電極に第１タッチ駆動信号を出力する第１駆動回路と、
第２タッチ検出期間に、前記複数の第２共通電極に第２タッチ駆動信号を出力する第２駆動回路と、
を備え、
前記第１タッチ検出回路は、検出対象の第１タッチ検出領域の第１共通電極から受信した第１タッチ検出信号にもとづいて、当該第１タッチ検出領域のタッチを検出し、
前記第２タッチ検出回路は、検出対象の第２タッチ検出領域の第２共通電極から受信した第２タッチ検出信号にもとづいて、当該第２タッチ検出領域のタッチを検出する、としても良い。
この場合、画像表示およびタッチ検出に共用される第１共通電極と第２共通電極により、第１表示装置と第２表示装置を薄く構成できる。
【０１１９】
本開示の一態様に係る表示システムにおいて、例えば、
前記第１表示装置と前記第２表示装置は、水平方向に隣接して配置される、としても良い。
この場合、表示システムの構成の自由度を向上できる。
【０１２０】
本開示の一態様に係る表示システムにおいて、例えば、
前記第１表示装置と前記第２表示装置は、垂直方向に隣接して配置される、としても良い。
この場合、表示システムの構成の自由度を向上できる。
【０１２１】
本開示の一態様に係る制御方法は、
第１表示装置と、
前記第１表示装置に隣接して配置される第２表示装置と、
前記第１表示装置への物体のタッチを検出する第１タッチ検出回路と、
前記第２表示装置への物体のタッチを検出する第２タッチ検出回路と、
を備える表示システムにおける制御方法であって、
前記第１表示装置は、前記第２表示装置に隣接する第１タッチ検出領域を含み、
前記第２表示装置は、第２タッチ検出領域を含み、
前記第１表示装置における第１フレーム期間は、前記第１表示装置が画像を表示する第１表示期間と、前記第１タッチ検出回路が前記第１タッチ検出領域でタッチを検出する第１タッチ検出期間とを含み、
前記第２表示装置における第２フレーム期間は、前記第２表示装置が画像を表示する第２表示期間と、前記第２タッチ検出回路が前記第２タッチ検出領域でタッチを検出する第２タッチ検出期間とを含み、
前記制御方法は、
前記第１タッチ検出期間の開始および終了タイミングが前記第２表示期間に重複するように、前記第１表示装置、前記第２表示装置、前記第１タッチ検出回路および前記第２タッチ検出回路を制御するステップを含む。
この態様によると、第１タッチ検出回路が第１タッチ検出領域でタッチを検出する第１タッチ検出期間に、第２表示装置は画像を表示するので、第２表示装置でのタッチ検出によるノイズの発生を抑制できる。よって、第１タッチ検出領域のタッチ検出において誤検出を抑制できる。
【産業上の利用可能性】
【０１２２】
本開示は、タッチ検出機能を有する表示システムおよび制御方法に利用できる。
【符号の説明】
【０１２３】
１…表示システム、２２ａ…第１表示装置、２２ｂ…第２表示装置、３４…共通電極、７０ａ…第１制御回路、７０ｂ…第２制御回路、７４ａ…第１駆動回路、７４ｂ…第２駆動回路、７６ａ…第１タッチ検出回路、７６ｂ…第２タッチ検出回路。
【図１】
2020162167.tif 000003
【図２】
2020162167.tif 000004
【図３】
2020162167.tif 000005
【図４】
2020162167.tif 000006
【図５】
2020162167.tif 000007
【図６】
2020162167.tif 000008
【図７】
2020162167.tif 000009
【図８】
2020162167.tif 000010
【図９】
2020162167.tif 000011
【図１０】
2020162167.tif 000012
【図１１】
2020162167.tif 000013
【図１２】
2020162167.tif 000014
【図１３】
2020162167.tif 000015
【図１４】
2020162167.tif 000016
【図１５】
2020162167.tif 000017
【図１６】
2020162167.tif 000018
【図１７】
2020162167.tif 000019
【国際調査報告】
2020162167.tif 000020
2020162167.tif 000021
2020162167.tif 000022
2020162167.tif 000023